【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
パーソナルコントローラを照明要素にリンクするためのデバイスであって、前記パーソナルコントローラが、プロセッサと、ユーザインターフェースと、ワイヤレス通信送受信機と、を有し、前記デバイスは、
前記パーソナルコントローラとのセキュアな２方向ワイヤレス通信に対して動作可能なワイヤレス通信モジュールであって、空中線と無線送受信機とを含み、非ピアツーピア通信リンク、およびネットワークアクセスポイントをシミュレーションすることによって確立されるピアツーピア通信リンクを選択的に使用して、前記パーソナルコントローラと通信するワイヤレス通信モジュールと、
複数のモードで前記ワイヤレス通信モジュールを動作させるマイクロコントローラであって、ピアツーピア通信標準を使用する第１のモードで前記ワイヤレス通信モジュールを動作させ、非ピアツーピア通信標準を使用する第２のモードで前記ワイヤレス制御モジュールを動作させ、前記第１のモードを使用して前記パーソナルコントローラと通信するように、および前記パーソナルコントローラから利用可能なＷＬＡＮのネットワークパラメータを受信するようにプログラミングされており、前記パーソナルコントローラから受信された前記利用可能なＷＬＡＮの前記ネットワークパラメータを使用して、前記ＷＬＡＮ上のクライアントとして前記第２のモードで前記ワイヤレス通信モジュールを動作させるマイクロコントローラと、
前記パーソナルコントローラから伝えられた命令の少なくとも一部に基づいて、前記照明要素への電気供給を変更するための前記マイクロコントローラからのコマンドを実装する電源制御回路と
を備えるデバイス。
【請求項２】
前記マイクロコントローラは、前記無線通信モジュールが前記第１のモードで動作を継続するかまたは第２のモードに変化することを指示する前記パーソナルコントローラからの命令を受信すると、前記第１のモードで動作し続けるか、または前記第２のモードに変化するように構成され、前記マイクロコントローラは、将来の接続を確立するために使用されるユーザ定義可能なパラメータを用いて前記第１のモードで動作を継続する選択が行われるようにさらに構成される、請求項１に記載のデバイス。
【請求項３】
前記照明要素が、複数の異なった色のＬＥＤを含み、前記マイクロコントローラが、前記照明要素から放出される合成色を変えるために前記電源制御回路を通じて前記照明要素の少なくとも２つのＬＥＤに対する電源を別々に変更する、請求項１または２に記載のデバイス。
【請求項４】
前記マイクロコントローラが、前記パーソナルコントローラとのＢｌｕｅｔｏｏｔｈ通信リンクを使用して、当該デバイスをネットワークＷｉ−Ｆｉデバイスおよび／またはＷｉ−Ｆｉ  Ｄｉｒｅｃｔアクセスポイント／グループパーティシパントおよび／またはピアツーピアＷｉ−Ｆｉデバイスとして構成する、請求項１に記載のデバイス。
【請求項５】
パーソナルコントローラを照明要素にリンクするためのデバイスであって、前記パーソナルコントローラが、プロセッサと、ユーザインターフェースと、ワイヤレス通信送受信機と、を有し、前記デバイスは、
前記パーソナルコントローラとのセキュアな２方向ワイヤレス通信に対して動作可能なワイヤレス通信モジュールであって、空中線と無線送受信機とを含み、ネットワークアクセスポイントをシミュレーションすることによって確立されるピアツーピア通信リンクを使用して前記パーソナルコントローラと通信するワイヤレス通信モジュールと、
前記ワイヤレス通信モジュールと前記パーソナルコントローラとの間に確立された前記ピアツーピア通信リンクを使用して、前記パーソナルコントローラからＷＬＡＮのネットワークパラメータを得るマイクロコントローラであって、前記ピアツーピア通信リンクを通じて前記パーソナルコントローラから得られた前記ネットワークパラメータに基づいて、前記ＷＬＡＮのクライアントとして前記ワイヤレス通信モジュールを動作させるようにプログラミングされている、マイクロコントローラと、
前記パーソナルコントローラから伝えられた命令の少なくとも一部に基づいて、前記照明要素への電気供給を変更するための前記マイクロコントローラからのコマンドを実装する電源制御回路と
を備えるデバイス。
【請求項６】
前記マイクロコントローラは、当該デバイスと関連付けられた製品識別子を前記パーソナルコントローラに伝えて、前記パーソナルコントローラが、当該デバイスとの使用に対して構成されたアプリケーションプログラムをダウンロードすることを可能にする、請求項５に記載のデバイス。
【請求項７】
前記マイクロコントローラが、ＳｏｆｔＡＰを使用して前記パーソナルコントローラとのピアツーピアワイヤレス通信リンクを開く、請求項１から６のいずれか一項に記載のデバイス。
【請求項８】
当該デバイスをメイン電源ラインに物理的に接続するためのインターフェース接続部をさらに備え、前記インターフェース接続部が、前記メイン電源ラインに直接ワイヤ接続するターミナルブロックを含む、請求項１から７のいずれか一項に記載のデバイス。
【請求項９】
第２の無線送受信機をさらに備え、前記第２の無線送受信機が、異なるピアツーピア通信リンクを使用して前記パーソナルコントローラと通信する、請求項５に記載のデバイス。
【請求項１０】
前記第２の無線送受信機が、Ｂｌｕｅｔｏｏｔｈを使用して前記パーソナルコントローラと通信する、請求項９に記載のデバイス。
【請求項１１】
スマートフォンを照明要素にリンクするための方法であって、
前記照明要素を動作させる電源回路に物理的に接続可能な電源制御ユニットを設けるステップであって、前記電源制御ユニットが、マイクロプロセッサと前記スマートフォンとのピアツーピア通信リンクを確立するように動作可能な無線送受信機を含む、ステップと、
シミュレーションされたアクセスポイントとして前記電源制御ユニットを動作させることによって前記電源制御ユニットと前記スマートフォンとの間のワイヤレスピアツーピア接続を確立するステップと、
前記スマートフォンを用いて、前記電源制御ユニットが前記電源制御ユニットの範囲内のＷＬＡＮにおけるクライアントとして構成されているかどうかを決定するステップと、
前記電源制御ユニットがクライアントとして構成されていない場合、電源制御ユニットを前記ＷＬＡＮのクライアントとして構成するステップと
を含む方法。
【請求項１２】
前記ピアツーピア接続が、ｓｏｆｔＡＰとして動作する前記電源制御ユニットによって確立される、請求項１１に記載の方法。
【請求項１３】
前記電源制御ユニットの範囲内にあると識別されたＷＬＡＮのネットワークアクセス詳細が前記スマートフォンに記憶されているかどうかを決定するステップをさらに含む、請求項１１に記載の方法。
【請求項１４】
前記識別されたＷＬＡＮについての前記ネットワークアクセス詳細が前記スマートフォンに記憶されている場合、前記電源制御デバイスの範囲内にあると識別されたＷＬＡＮにアクセスするためのネットワークパスワードを前記電源制御ユニットに与えるステップをさらに含む、請求項１１に記載の方法。
【請求項１５】
前記スマートフォンとの前記ピアツーピア接続を確立するのに使用されたのと同じ無線送受信機を使用して、非ピアツーピア通信リンクを使用して前記ＷＬＡＮにアクセスするステップをさらに含む、請求項１１に記載の方法。
【手続補正２】
【補正対象書類名】明細書
【補正対象項目名】００３４
【補正方法】変更
【補正の内容】
【００３４】
[0037]  電源制御回路２１２は、好ましくは、電気デバイス２１４に対する電源を変更するように適合され、適した物理接続インターフェースを含む。適用例に応じて、電気デバイス２１４は、必ずしも電源制御回路２１２と同一場所に配置されなくてもよい。１つの好ましい実施形態においては、電源制御ユニット２００は、例としては、ドア機構、門扉機構、電動式ブラインドおよびオーニング機構、電動式スクリーン機構、ライトスイッチ、照明コントローラ、照明器具、電灯、照明器、電源制御機構、電源アウトレット、ファン、サーモスタットおよび空調ユニットなどの気候制御機器、自動販売機、スプリンクラーおよび散水システム、ポンプ、プールろ過システム、ガス計測および制御機器、電気メータ、周辺コンピュータ機器、家庭用電化製品、白物家電、ならびに警報システムなどの電気デバイス内に全体的に一体化され得る。